(57)【要約】  本発明は、少なくとも第１のネットワーク（１０３）、第２のネットワーク（１０１）、および第３のネットワーク（１０５）を含むワイヤレス通信システムの方法に関し、第２のネットワーク（１０１）は、第１の通信チャネルでのデータ送信がスケジューリングされている間、第２の通信チャネルでのデータ送信が制限されている第１の期間の組（２０１）を示す第１のパターンを提供し、方法は、第３のネットワーク（１０５）によって、第１のパターンを示す情報を受信するステップと、第３のネットワーク（１０５）によって、第１のパターンに基づいて、第３のネットワーク（１０５）の第３の通信チャネルでデータ送信をスケジューリングするステップとを含む。
2015536103.tif 000002
【特許請求の範囲】
【請求項１】
少なくとも第１のネットワーク（１０３）、第２のネットワーク（１０１）、および第３のネットワーク（１０５）を含むワイヤレス通信システムにおいて潜在的な干渉に対処するための方法であって、前記第３のネットワーク（１０５）によって、前記第１のネットワーク（１０３）の通信チャネルでのデータ送信がスケジューリングされる間、前記第２のネットワーク（１０１）の通信チャネルでのデータ送信が制限されている第１の期間の組（２０１）を示す第１のパターンを示す情報を受信するステップと、前記第３のネットワーク（１０５）によって、前記第１のパターンに基づいて前記第３のネットワーク（１０５）の通信チャネルでデータ送信をスケジューリングするステップとを含む、方法。
【請求項２】
前記第１の期間の組の間に前記第３のネットワーク（１０５）によって、前記第３のネットワーク（１０５）で利用されていないリソースを割り当てるステップをさらに含み、前記リソースは周波数帯域幅を含む、請求項１に記載の方法。
【請求項３】
前記第１のパターンは、前記第２のネットワーク（１０１）の前記通信チャネルでのデータ送信がスケジューリングされる第２の期間の組をさらに示し、前記第３のネットワーク（１０５）の前記通信チャネルでのデータ送信のスケジューリングは、前記第２の期間の組の間に実行される、請求項１または２に記載の方法。
【請求項４】
前記第１のパターンは、前記第２のネットワーク（１０１）の前記通信チャネルでのデータ送信がスケジューリングされる第２の期間の組をさらに示し、前記方法は、前記第３のネットワーク（１０５）によって、第３の期間の組を示す第２のパターンを送信するステップをさらに含み、前記第３の期間の組は前記第２の期間の組と重複し、前記スケジューリングは前記重複する期間の間に実行される、請求項１に記載の方法。
【請求項５】
前記第２のパターンは、前記第１の期間の組と重複する第４の期間の組をさらに示し、前記方法は、前記第３のネットワーク（１０５）によって、前記重複する期間の間に前記第３のネットワーク（１０５）の利用されていないリソースを割り当てるステップをさらに含む、請求項４に記載の方法。
【請求項６】
前記割り当てるステップは、
−  前記第３のネットワーク（１０５）の利用されていないリソースを決定するステップと、
−  前記利用されていないリソースの少なくとも一部を割り当てるステップと
を含む、請求項２または５に記載の方法。
【請求項７】
前記決定するステップは、現在および／または将来的な利用されていないリソースを決定するステップを含む、請求項６に記載の方法。
【請求項８】
前記第１および第４の期間の組は相互に整列する、請求項４乃至７のいずれか１項に記載の方法。
【請求項９】
前記第１のネットワーク（１０３）は、第１の基地局（１０９）および第１のユーザ機器（１１３）を含むピコ・セルを含み、前記第１のネットワーク（１０３）の前記通信チャネルは、前記第１の基地局（１０９）と前記第１のユーザ機器（１１３）とをリンクしており、前記第２のネットワーク（１０１）は、前記ピコ・セルの領域に少なくとも部分的に重複する第１のマクロ・セルを含み、前記第２のネットワーク（１０１）の前記通信チャネルは、前記第１のマクロ・セルの第２の基地局（１０７）と第２のユーザ機器（１１５）とをリンクしている、請求項１乃至８のいずれか１項に記載の方法。
【請求項１０】
前記第３のネットワーク（１０５）は、前記第１のマクロ・セルおよび前記ピコ・セルに隣接する第２のマクロ・セルを含み、前記第３のネットワーク（１０５）の前記通信チャネルは、前記第３のネットワーク（１０５）の第３の基地局（１１１）と第３のユーザ機器（１１７）とをリンクしている、請求項９に記載の方法。
【請求項１１】
前記ワイヤレス通信システムは、第３世代パートナーシップ・プロジェクトのロング・ターム・エボリューション（３ＧＰＰ  ＬＴＥ）標準の異種混合ネットワークの一部である、請求項１乃至１０のいずれか１項に記載の方法。
【請求項１２】
前記第１および第４の期間の組それぞれは、ほぼブランクのサブフレーム（ＡＢＳ）を含む、請求項１１に記載の方法。
【請求項１３】
前記第３のネットワークの現在の負荷値を取得するステップと、前記現在の負荷値が事前に定めた負荷しきい値より低い場合に、前記第３のネットワークの前記通信チャネルでデータ送信のスケジューリングを実行するステップとをさらに含む、請求項１乃至１２のいずれか１項に記載の方法。
【請求項１４】
請求項１乃至１３のいずれか１項に記載の方法の方法ステップを実行するためのコンピュータ実行可能命令を含むコンピュータ・プログラム製品。
【請求項１５】
少なくとも第１のネットワーク（１０３）、第２のネットワーク（１０１）、および第３のネットワーク（１０５）を含むワイヤレス通信システムで使用される測定コントローラであって、機械実行可能命令を格納するためのメモリおよび前記測定コントローラを制御するためのプロセッサを含み、前記機械実行可能命令の実行により、前記プロセッサが、前記第１のネットワーク（１０３）の通信チャネルでのデータ送信がスケジューリングされる間、前記第２のネットワーク（１０１）の通信チャネルでのデータ送信が制限されている第１の期間の組（２０１）を示す第１のパターンを示す情報を受信し、前記第１のパターンに基づいて前記第３のネットワークの通信チャネルでデータ送信をスケジューリングする、測定コントローラ。
【発明の詳細な説明】
【技術分野】
【０００１】
本開示は、ワイヤレス通信システムに関し、より具体的には、異種混合ワイヤレス・ネットワークにおけるデータ・スケジューリングのための方法に関する。
【背景技術】
【０００２】
異種混合ネットワーク（ＨｅｔＮｅｔｓ）において、システム・パフォーマンスを最大限にするために、多くの場合、拡張セル間干渉制御（ｅＩＣＩＣ：Ｅｎｈａｎｃｅｄ  Ｉｎｔｅｒ−ｃｅｌｌ  Ｉｎｔｅｒｆｅｒｅｎｃｅ−Ｃｏｏｒｄｉｎａｔｉｏｎ）が適用される。ｅＩＣＩＣは、ピコ・セルの通信チャネルへの干渉を引き起こすマクロ基地局によって送信される、データを含んでいない、ほぼブランクのサブフレーム（ＡＢＳ：Ａｌｍｏｓｔ  Ｂｌａｎｋ  Ｓｕｂｆｒａｍｅ）に基づく時間領域の概念である。マクロ基地局がＡＢＳを送信する場合、高度なスケジューリング・メカニズムによって利用できるピコ・セルのユーザ機器（ＵＥ：Ｕｓｅｒ  Ｅｑｕｉｐｍｅｎｔ）に対する干渉が減る結果となる。ｅＩＣＩＣは、マクロｅＮＢがどのサブフレームでＡＢＳを送信するかを規定する、いわゆるＡＢＳパターンを必要とする。システム・パフォーマンスを最大限にするために、このパターンのＡＢＳの数は、ユーザおよびトラフィックの分布、ピコｅＮＢの位置などのパラメータに基づいて決定しなければならず、自己組織ネットワーク（ＳＯＮ：Ｓｅｌｆ−Ｏｒｇａｎｉｚｉｎｇ  Ｎｅｔｗｏｒｋ）アルゴリズムによってこれらのパラメータに動的に適応させることができる。
【発明の概要】
【発明が解決しようとする課題】
【０００３】
本発明の目的は、独立請求項の主題によって記述したように、ワイヤレス通信システムにおける改良された方法、改良されたコンピュータ・プログラム製品、および改良された測定コントローラ・システムを提供することである。有利な実施形態は、従属請求項に記述している。
【課題を解決するための手段】
【０００４】
一態様では、本発明は、少なくとも第１のネットワーク、第２のネットワーク、および第３のネットワークを含むワイヤレス通信システムにおいて潜在的な干渉に対処するための方法に関する。３つのネットワークは、同じ周波数帯域で動作することができる。本明細書で使用する「ネットワーク」という用語は、広くワイヤレス・ネットワークを示すことができる（たとえば、モバイル・ネットワーク、セルラー・ネットワーク、セルラー式でないネットワークなど）。例を挙げると、方法は、ロング・ターム・エボリューション（ＬＴＥ：Ｌｏｎｇ  Ｔｅｒｍ  Ｅｖｏｌｕｔｉｏｎ）ネットワーク、またはサブフレームの空白化に基づくセル間干渉制御方式を適用する任意の通信システムなど、様々なネットワークの種類で実行することができる。
【０００５】
たとえば、第１のネットワークの第１の通信チャネルでのデータ送信が、第２のネットワークの第２の通信チャネルでのデータ送信に干渉している。干渉は、それぞれ第１の通信チャネルおよび第２の通信チャネルでのデータ送信のために、第１および第２のネットワークによって同時に使用できるリソース・ブロック間の衝突によって引き起こされる場合がある。
【０００６】
第２のネットワークは、第１の通信チャネルでのデータ送信がスケジューリングされている間、第２の通信チャネルでのデータ送信が制限される第１の期間の組を示す第１のパターンを提供する。通信チャネルは、一組の周波数およびタイムスロットに収まっていてよい。通信チャネルは、たとえば、第３世代（「３Ｇ」）のワイヤレス・セル方式リンク、第四世代（「４Ｇ」）のワイヤレス・セル方式リンクの１つまたは複数を含む１組の通信リンクを含むことができる。
【０００７】
方法は、第３のネットワークによって、第１のパターンを示す情報を受信するステップと、第３のネットワークによって、第１のパターンに基づいて第３のネットワークの第３の通信チャネルでデータ送信をスケジューリングするステップとを含む。たとえば、第３の通信チャネルでのデータ送信は、第１の通信チャネルの少なくともデータ送信に干渉している。ここで干渉は、古いスケジューリング方式を用いる第３の通信チャネルでのデータ送信に関係する場合がある。第１のパターンに基づいて実行される、第３の通信チャネルでのデータ送信の新しいスケジューリングは、干渉を減らすことができる。
【０００８】
第３のネットワークに加えて、他のネットワークも情報を受信することができ、また第１のパターンに基づいてデータ送信をスケジューリングすることもでき、そのデータ送信もまた、第１の通信チャネルでのデータ送信に干渉している。
【０００９】
これらの特徴は、第１の通信チャネルでのデータ送信を妨害する干渉をさらに減らすことができるため有利な場合がある。その理由は、第３のネットワークは、未使用のリソースのスケジューリングだけでなく、自身のデータ送信をスケジューリングするステップも第１のパターンに応じて適応させているからである。これは、たとえば、第２のネットワークもデータ送信をスケジューリングしている期間の少なくとも一部の間にのみ第３の通信チャネルでのデータ送信をスケジューリングすることによって実施することができる。
【００１０】
一実施形態によると、方法は、第３のネットワークで現在の負荷値を取得するステップと、現在の負荷値が事前に定めた負荷しきい値より低い場合に、スケジューリングを実行するステップとをさらに含む。トラフィック量が少ないネットワークは負荷が軽い。トラフィック量が多いネットワークは負荷が大きい。第３のネットワークの負荷は、事前に決定した時間間隔を通じて第３の通信チャネルに対して、第３の通信チャネルの使用量を利用可能なリソース・ブロックでの数で分割することによって、第３の通信チャネルで推定することができる。
【００１１】
一実施形態によると、方法は、第１の期間の組の間に第３のネットワークで利用されていないリソースを割り当てるステップをさらに含み、リソースは周波数帯域幅を含む。利用されていないリソースは、第３の通信チャネルの利用されないリソースの場合がある。これは、第３のネットワークおよび第２のネットワークによって引き起こされる干渉を最大限に減らすことにつながる最適な方法を提供できるため有利な場合がある。割り当ては、期間の組のそれぞれの完全な周波数帯域幅および／または期間の組のそれぞれの周波数帯域幅の一部を使用して実行することができる。たとえば、第３のネットワークの未使用のリソースの量が第１の期間の組の間に許可された量より少ない場合、第３のネットワークは、第１の期間の組の間に、特定の周波数サブバンドのみに対して未使用のリソースを集めることができる。
【００１２】
一実施形態によると、第１のパターンは、第２の通信チャネルでのデータ送信がスケジューリングされる第２の期間の組をさらに示し、第３の通信チャネルでのデータ送信のスケジューリングは、第２の期間の組の間にスケジューリングされる。期間は、第１の期間の組の各期間の後に、第２の期間の組の期間が続くように順位付することができる。一実施形態によると、第１のパターンは、第２の通信チャネルでのデータ送信がスケジューリングされる第２の期間の組をさらに示し、方法は、第３のネットワークによって、第３の期間の組を示す第２のパターンを送信するステップをさらに含み、第３の期間の組は、第２の期間の組と重複し、スケジューリングは、重複する期間の間にスケジューリングされる。すなわち、第３のネットワークは、第１のパターンに従ってそれ自身のパターンを提供することができる。このパターン定義は、第３のネットワークの中期および長期的な挙動により関係する。第２のパターン定義は、第３のネットワークの期待される将来的なトラフィック負荷に関する情報に基づく場合がある。
【００１３】
一実施形態によると、割り当てるステップは、第３のネットワークの利用されていないリソースを決定するステップと、利用されていないリソースの少なくとも複数の部分を割り当てるステップとを含む。たとえば、現在および／または将来のトラフィック負荷が約５０％である場合、割り当ては、期待される空き容量（５０％）の一部のみに関係する場合がある（たとえば３０％）。割り当てられたリソースの一部は、期待される負荷より負荷が一時的に高くなる過負荷状況を回避するために、期待される未使用のリソースの一部より少ないように選択される。
【００１４】
一実施形態によると、決定するステップは、現在および／または将来的な利用されていないリソースを決定するステップを含む。たとえば、将来的に（または期待される）利用されないリソースは、第３のネットワークの履歴的な日中のトラフィック負荷統計を使用して、第３のネットワークで期待されるトラフィック負荷を推定することによって決定することができる。これは、第３のネットワークで将来的な過負荷状況を防ぐことができるため有利な場合がある。
【００１５】
一実施形態によると、第１および第４の期間の組は相互に整列する。これは、第１および第４の期間の組は、相互に依存してルーティングできるため有利な場合があり、これにより、さらに干渉を低減して第３のネットワークでスケジューリングを促進することができる。
【００１６】
一実施形態によると、第１のネットワークは、第１の基地局および第１のユーザ機器を含むピコ・セルを含み、第１の通信チャネルは、第１の基地局と第１のユーザ機器とをリンクしており、第２のネットワークは、ピコ・セルの領域に少なくとも部分的に重複する第１のマクロ・セルを含み、第２の通信チャネルは、第１のマクロ・セルの第２の基地局と第２のユーザ機器とをリンクしている。別の例では、第１のネットワークは、リレー・セルの場合がある。本方法は異種混合ネットワーク・システムで適用できるため、このことが有利な場合がある。第２のユーザ機器は、重複する領域に属する場合がある。別の例では、第２のユーザ機器は、第１のユーザ機器の場合がある。
【００１７】
一実施形態によると、第３のネットワークは、第１のマクロ・セルおよびピコ・セルに隣接する第２のマクロ・セルを含み、第３の通信チャネルは、第３のネットワークの第３の基地局と第３のユーザ機器とをリンクしている。
【００１８】
一実施形態によると、ワイヤレス通信システムは、第３世代パートナーシップ・プロジェクトのロング・ターム・エボリューション（３ＧＰＰ  ＬＴＥ）標準の異種混合ネットワークの一部である。
【００１９】
一実施形態によると、第１および第４の期間の組それぞれは、ほぼブランクのサブフレーム（ＡＢＳ）を含む。本明細書に使用する「サブフレーム」という用語は、１つのフレームを事前に定めた長さの単位へと分割することによって作成されたより低次のフレーム構成を指している。
【００２０】
他の態様では、本発明は、上に記述した方法の方法ステップを実行するために、コンピュータ実行可能命令を含むコンピュータ・プログラム製品に関する。
【００２１】
他の態様では、本発明は、少なくとも第１のネットワーク、第２のネットワーク、および第３のネットワーク含むワイヤレス通信システムで使用される測定コントローラに関し、測定コントローラは、機械実行可能命令を格納するためのメモリおよび測定コントローラを制御するためのプロセッサを含み、機械実行可能命令の実行により、プロセッサが、第１の通信チャネルでのデータ送信がスケジューリングされる間、第２の通信チャネルでのデータ送信が制限されている第１の期間の組を示す第１のパターンを示す情報を受信し、第１のパターンに基づいて第３のネットワークの第３の通信チャネルでデータ送信をスケジューリングする。
【００２２】
測定コントローラは、第３のネットワークの第３の基地局に位置する場合がある。
【００２３】
組み合わせた実施形態が相互排他的でない限り、前述の実施形態の１つまたは複数を組み合わせることができることが理解される。
【００２４】
以下において、本発明の実施形態について、例示のみを目的として、図面を参照してより詳細に説明する。
【図面の簡単な説明】
【００２５】
【図１】ワイヤレス通信システムのセル構造を示す図である。
【図２】ＡＢＳパターンのフォーマットを示す図である。
【図３】本発明の主題をシミュレーションする際に使用されるセル構造を示す図である。
【図４】マクロｅＮＢの隣接者の利他的なパターン適応によるピコＵＥジオメトリにおける増加を示す図である。
【図５】利他的なセル隣接者によるパフォーマンス増加を示す図である。
【発明を実施するための形態】
【００２６】
以下において、これらの図において同様の番号が付けられた要素は、同等の要素であるか、または等しい機能を実行する。機能が同等である場合は、すでに説明した要素については、後の図で必ずしも説明しない。
【００２７】
図１は、異種混合ネットワークのワイヤレス通信システムの一部としてセル構造１００を示している。ワイヤレス通信システムは、ＬＴＥシステムなどサブフレームの空白化に基づくセル間干渉制御方式を適用する任意の通信システムであってよい。セル構造は、３つの領域またはセル１０１、１０３、および１０５へと分離される。マクロ・セル１０１は、ｅＮＢ１  １０７など、第１の基地局によってサービスが提供される。マクロ・セル１０１は、ピコ・セル１０３の領域に少なくとも部分的に重複している。ピコ・セル１０３は、第２の基地局ｐｅＮＢ１  １０９によってサービスが提供される。マクロ・セル１０５は、２つのセル１０１および１０３に隣接している。マクロ・セル１０５は、基地局ｅＮＢ２  １１１によってサービスが提供される。ユーザ機器ＵＥ１１３は、基地局ｐｅＮＢ１  １０９と通信することによって、ワイヤレス通信システム１００にアクセスすることができる。他のユーザ機器１１５および１１７は、基地局ｅＮＢ１  １０７およびｅＮＢ２  １１１とそれぞれ通信することによって、ワイヤレス通信システム１００にアクセスすることができる。基地局ｅＮＢ１、ｐｅＮＢ１、およびｅＮＢ２  １０７、１０９、および１１１は、インターフェース・ユニットを通じて通信できるように相互に結合されている。インターフェース・ユニットは、たとえば、３ＧＰＰ基準および／またはプロトコルのロング・ターム・エボリューション（ＬＴＥ）によって規定されたＸ２インターフェースであってよい。これらのインターフェースは、セル間通信およびシグナリングをサポートするために使用される。セルは、明瞭さのため、および記述を不明瞭にするのを避けるために、理想化された円として図１に描写されている。しかし、当業者は、セルは、典型的には、基地局の送信電力、基地局の送信電力分布、物理的な障害、変化する環境条件などを含むがこれらに限定されない、多数の要素によって決定される不規則な可変形状を持つことを理解されるであろう。
【００２８】
第１の通信チャネルは、ｐｅＮＢ１  １０９とＵＥ  １１３とをリンクしている。ＵＥ１１３は、ｐｅＮＢ１  １０９によってサービスが提供されるため、ｅＮＢ１  １０７に接続することができない場合がある。ｅＮＢ１  １０７は、ｅｎＢ１  １０７とＵＥ  １１３とをリンクする他の通信チャネルを介して、第１の通信チャネルへの干渉を引き起こしている場合があり、したがって、ｅＮＢ１  １０７は、ＡＢＳサブフレームを含む第１の期間の組および非ＡＢＳサブフレームを含む第２の期間の組を示す第１のＡＢＳパターンを提供することによって、ｅＩＣＩＣ手順を開始することができる（図２を参照）。１つの期間は、サブフレームと同じ長さを持つ時間窓であってよい。ｅＮＢ１  １０７は、Ｘ２インターフェースを介して、ｐｅＮＢ１  １０９およびｅＮＢ２  １１１にＬＯＡＤ情報を送信することができる。ＬＯＡＤ情報は、ｅＮＢ１  １０７によって適用されるＡＢＳパターンを示すことができる。
【００２９】
ＡＢＳサブフレーム情報は、データがないかまたはデータ送信がほぼない、制限されたブロードキャスト・モードで、ｅＮＢ１  １０７がどのサブフレームにある可能性があるかを決定するために使用することができる。ｐｅＮＢ１  １０９は、パフォーマンス増加を最大限にするために、ＡＢＳへのマクロ・セルの干渉によって最も影響を受けるＵＥを好ましくはスケジューリングできるような方法で、そのスケジューリングを適応させるためにこの情報を使用することができる。マクロｅＮＢ２  １１１が、たとえば、ｅＩＣＩＣ手順を適用する、隣接するマクロｅＮＢ３など、複数の隣接者を持つ場合、マクロｅＮＢ１およびマクロｅＮＢ３のＡＢＳパターンが同期されることが想定される。つまり、より少ないＡＢＳを用いるパターンのすべてのＡＢＳは、より多いＡＢＳを用いるパターンのＡＢＳと重複する。これにより、ピコＵＥに対するＡＢＳの間に干渉が減る。
【００３０】
ｅＮＢ２  １１１によって、第１のパターン（つまりＡＢＳパターン）を示す情報を受信したときに、ｅＮＢ２  １１１は、以下のステップを実行することができる。
１．第１の期間の組の間に、第３のネットワークの利用されていないリソースを割り当て、第２の期間の組の間に、第３の通信チャネルでのデータ送信をスケジューリングすることができる、かつ／または
２．第３の期間の組を示す第２のパターンを送信する。第２のパターンは、第３および第４の期間の組を示す。第３の期間の組は、第２の期間の組と重複している。ｅＮＢ２  １１１は、第３および第２の期間の重複する期間の間に、第３の通信チャネルでデータ送信をスケジューリングすることができる。第１の期間の組と重複する第４の期間の組であって、ｅＮＢ２  １１１は、第１および第４の組の重複する期間の間に、第３のネットワークで利用されないリソースを割り当てることができる。第１および第４の期間の組は相互に整列する。第２および第３の期間の組は相互に整列する。
【００３１】
割り当てについて、ｅｎＢ２  １１１は、第３のネットワークの現在および／または将来の利用されていないリソースを決定し、利用されていないリソースの少なくとも一部を割り当てることができる。
【００３２】
マクロｅｎＢ２  １１１が全負荷で動作していない場合、ステップ１および２を実行することができる。たとえば、ｅｎＢ２  １１１は現在の負荷値を決定し、それを事前に定めたしきい値の負荷値と比較することができる。現在の負荷値がしきい値を超える場合、ｅｎＢ２  １１１は、全負荷にあること考えることができる。別の例では、ｅｎＢ２  １１１で使用可能な利用されていないリソースがあればすぐに、ｅｎＢ２は、ステップ１および２を実行することができる。
【００３３】
マクロｅＮＢ２  １１１またはそのＵＥ（たとえばマクロＵＥ２  １１７）は、前述のスケジューリングから利益を受けないため、ステップ１のスケジューリングは、利他的なスケジューリングの場合がある。これは、マクロｅｎＢ２  １１１は、たとえば図２のサブフレームｎ、ｎ＋２、ｎ＋４、ｎ＋６など、マクロｅＮＢ１  １０７が非ＡＢＳを送信するそれらのサブフレームにそのトラフィックを集め、それによって、たとえば図２のサブフレームｎ＋１、ｎ＋３、ｎ＋５、ｎ＋７など、マクロｅＮＢ１  １０７がＡＢＳを送信するそれらのサブフレームにその未使用のリソースを集めるためである。マクロｅＮＢ１  １０７のＡＢＳに未使用のリソースの集中することによって、ＡＢＳのｐｅＮＢ２  ＵＥ（たとえばピコＵＥ１  １１３）に対する干渉の低減が最大限になる。
【００３４】
マクロｅＮＢ２  １１１の未使用のリソースの量が、マクロｅＮＢ１  １０７のＡＢＳリソースの量より少ない場合、マクロｅＮＢ２  １１１は、マクロｅＮＢ  ＡがＡＢＳを送信するサブフレームの特定の周波数サブバンドのみに未使用のリソースを集めることができる。これにより、ピコｅＮＢのピコＵＥに対する追加的な干渉の低減がＡＢＳの特定のサブバンドに制限され、したがって、周波数選択的なＣＱＩフィードバックに反映され、スケジューリングによって利用することができる。
【００３５】
利他的なスケジューリングは、マクロｅＮＢ２  １１１の短期的な挙動により関係するが、ステップ２に述べられている利他的なＡＢＳパターンの適応は、マクロｅＮＢ２  １１１の中期および長期的な挙動により関係する。利他的なＡＢＳパターンの適応は、たとえば、セルの長期的な日中のトラフィック負荷統計など、ｅＮＢ２  １１１の期待されるトラフィック負荷（または期待される、利用されていないリソース）に関する情報に対して動作する。たとえば、ｅＮＢ２  １１１が、次の１時間のその期待されるトラフィック負荷が約５０％であるという情報を持っている場合、その期待される空き容量の一部をＡＢＳ（たとえば３０％）として宣言することができる。マクロｅＮＢ２  １１１は、マクロｅＮＢ１  １０７を含むその隣接するｅＮＢに、ＡＢＳ情報要素（ＩＥ：Ｉｎｆｏｒｍａｔｉｏｎ  Ｅｌｅｍｅｎｔ）を含むＬＯＡＤ  ＩＮＦＯＲＭＡＴＩＯＮメッセージを送信する。ＡＢＳ  ＩＥは、マクロｅＮＢ１  １０７のＡＢＳパターンと整列するｅＮＢ２  １１１のＡＢＳパターンを含む。マクロｅＮＢ２  １１１それ自体およびそのＵＥは、ＡＢＳとしてこれらのリソースを宣言することによって利益を受けないため、これはｅＮＢ２  １１１の利他的な挙動である。スケジューリングによって利用できるＡＢＳの間に干渉が減るため、ｐｅＮＢ１  １０９によってサービスが提供される隣接セルは、マクロｅＮＢ２  １１１のこの利他的な挙動から利益を受ける。
【００３６】
期待された負荷より負荷が高い過負荷状況がある場合があるため、マクロｅＮＢ２  １１１は、ＡＢＳサブフレームの間にその完全な期待される空き容量を提供しない場合がある。ＡＢＳサブフレームの間の宣言された（または提供された）リソースの一部は、期待される未使用のリソースの一部より重要度が低い。ＡＢＳサブフレームの間に、期待される未使用のリソースと宣言されたリソースの一部との間のギャップを処理するために、ステップの１利他的なスケジューリングは、利他的なＡＢＳパターン適応に加えて実行することができる。利他的なＡＢＳパターン適応が利他的なセルにおいて永久的な過負荷状況につながる場合、マクロｅＮＢ２  １１１は、ＡＢＳサブフレームの間に宣言されたリソースの一部を減らすことができる（つまり、宣言されたＡＢＳサブフレームの数を減らす）。これはいつでも行うことができ、変更されたＡＢＳパターンを含むＬＯＡＤ  ＩＮＦＯＲＭＡＴＩＯＮメッセージを送信することによって、ｅＮＢ１  １０７およびｐｅＮＢ  １０９など、その隣接するｅＮＢに、これについて通知することができる。
【００３７】
図２は、ｅＮＢ１  １０７およびｅＮＢ２  １１１によって送信されるＡＢＳパターンの簡素化された構造を示している。ＡＢＳパターンは、たとえば、間隔の長さ４０ｍｓなど、間隔期間または間隔の長さを通じて規定することができるが、より短いまたはより長い他の間隔の長さの両方が可能である。
【００３８】
説明のために、図３に提示したシミュレーションは、図１のセル構造に実装することができるが、この実装に制限されるものではない。したがって、図１の参照番号は、図３では必ずしも使用していない。
【００３９】
この方法の可能性は、以下のシミュレーション結果に示している。図３は、セル構造のシミュレーション・シナリオを示している。１つのいわゆる観測セルがある。観測セルの有効範囲領域の内部には、ＵＥホットスポットに配置された、２つのピコｅＮＢがランダムにある（−＞３ＧＰＰ３６．８１４の構成４Ｂを参照）。観測セルの内部で、ｅＩＣＩＣおよびセル領域拡張ＣＲＥ（Ｃｅｌｌ  Ｒａｎｇｅ  Ｅｘｐａｎｓｉｏｎ）は、システム・パフォーマンスを増加させるために適用される。観測セルの周りには、６つの直接隣接セル（青色）がある。隣接セルにサービスを提供する隣接するマクロｅＮＢは、利他的なスケジューリングおよび／またはＡＢＳパターン適応を実行することができる。観測セルの直接的な隣接者でない１５の他のセル（オレンジ）は、（このシナリオでは）利他的なスケジューリングおよび／またはＡＢＳパターン適応を実行しない。直接隣接セルおよび他のセル内にピコｅＮＢは存在しない。したがって、これらのセルはｅＩＣＩＣを適用しない。つまり、対応するマクロｅＮＢはＡＢＳを送信しない（直接隣接セルのマクロｅＮＢが利他的なＡＢＳパターン適応を実行する場合を除く）。セルは、明瞭さのため、および記述を不明瞭にするのを避けるために、理想化された六角形として図３に描写されている。しかし、当業者は、セルは、典型的には、基地局の送信電力、基地局の送信電力分布、物理的な障害、変化する環境条件などを含むがこれらに限定されない、多数の要素によって決定される不規則な可変形状を持つことを理解されるであろう。
【００４０】
図４は、観測セルにおけるピコＵＥジオメトリへの利他的な隣接の影響を示している。黒い実線４０１は、非ＡＢＳのピコＵＥジオメトリを示している。つまり、すべてのマクロｅＮＢは送信を行っている。赤色の実線４０３は、他のすべてのマクロｅＮＢが非ＡＢＳを送信している間に、観測セルのマクロｅＮＢのみがＡＢＳを送信する場合のピコＵＥジオメトリを示している。残りの線は、観測セルのＡＢＳにおけるピコＵＥのジオメトリおよびやはりＡＢＳを送信する、異なる数の利他的な隣接者を示している。図は、ますます多くの利他的な隣接者が、ＡＢＳのピコＵＥジオメトリに肯定的な効果があることを示している。各追加的な利他的な隣接者は、１〜２ｄＢずつピコＵＥジオメトリを改善する。この改善は、直接隣接セルの減らされた干渉に基づく。利他的な隣接者によるピコＵＥジオメトリの増加により、観測セル内部でシステム・パフォーマンスが上昇する結果となる。
【００４１】
図５は、異なる数の利他的な隣接者およびこれらの利他的な隣接者によって送信された異なる数のＡＢＳについて、観測セルにおいてスペクトル効率に関してＵＥスループット（セル境界スループットとも呼ぶ）の５パーセンタイルを示している。図５の星５０１は、参照値を示している。つまり、マクロｅＮＢはｅＩＣＩＣを適用しない。青色の実線５０５は、１０％のＡＢＳ（円）５０１、２０％、３０％、４０％、および５０％のＡＢＳを送信する１つの利他的な隣接者に対する結果を示している。図は、観測セルおよび３つの利他的な隣接者が３０％のＡＢＳ  ５０７を送信する場合における、たとえば、スペクトル効率における９％の増加およびセル境界スループットにおける１０％の増加など、基準シナリオ５０１と比較したセル境界スループットおよびスペクトル効率の増加を示している、増加は、利他的な隣接の数が増えＡＢＳの部分が増えると増える。すべての直接的な隣接者が利他的で、観察されたマクロと同じＡＢＳパターンを使用する場合、増加は、最大でスペクトル効率で２９％およびセル境界スループットで２８％である。
【符号の説明】
【００４２】
１００  セル構造
１０１  マクロ・セル
１０３  ピコ・セル
１０５  マクロ・セル
１０７  マクロ基地局
１０９  ピコ基地局
１１１  マクロ基地局
１１３〜１１５  ユーザ機器
２０１  ＡＢＳサブフレーム
４０１〜４０３  曲線
５０１〜５０７  曲線の点
【図１】
2015536103.tif 000003
【図２】
2015536103.tif 000004
【図３】
2015536103.tif 000005
【図４】
2015536103.tif 000006
【図５】
2015536103.tif 000007
【国際調査報告】
2015536103.tif 000008
2015536103.tif 000009